(57)【要約】【課題】不要なときにはメッセージ表示を看えないようにし、この隠されていたメッセージ表示が光照射によって看れるようにすることで、面白味のある表示形態とする。【解決手段】メッセージ表示を隠蔽状態で付記可能とした表示プレート３と、該表示プレート３を光照射可能とする発光装置１１とを備え、該発光装置１１による表示プレート３の光照射によってメッセージ表示を現出する。また、可視光領域で隠蔽可能となるよう蛍光体を用いてメッセージ表示を付記可能とした表示プレート３と、該表示プレート３に紫外線光を照射可能とする発光装置１１とを備え、該発光装置１１の紫外線光に反応してメッセージ表示の蛍光体を所望の色に発光可能にする。【選択図】図１
2007333832.tif 000002
【特許請求の範囲】
【請求項１】
メッセージ表示を隠蔽状態で付記可能とした表示プレートと、該表示プレートを光照射可能とする発光装置とを備え、該発光装置による表示プレートの光照射によってメッセージ表示を現出させることを特徴とする表示装置。
【請求項２】
可視光領域で隠蔽可能となるよう蛍光体を用いてメッセージ表示を付記可能とした表示プレートと、該表示プレートに紫外線光を照射可能とする発光装置とを備え、該発光装置の紫外線光に反応してメッセージ表示の蛍光体を所望の色に発光現出させることを特徴とする表示装置。
【請求項３】
前記表示プレートとしては、ハーフミラー、スモークフィルム、もしくはブラックライトに反応可能な印刷ベースシートを使用した請求項１または２記載の表示装置。
【請求項４】
前記表示プレートには、隠蔽された暗状態から露出した明状態にすることで発光装置がスイッチオンとなる光センサーを備えた請求項１乃至３のいずれか記載の表示装置。
【請求項５】
前記表示プレートは、誕生日カード、クリスマスカード、ギフトカード等のカード類、写真立て、またはペンダント、ブレスレット、指輪、キーホルダー等の飾り具のいずれかに付設されている請求項１乃至４のいずれか記載の表示装置。
【発明の詳細な説明】
【技術分野】
【０００１】
本発明は、光照射によって隠されていた部分が看ることができるようにした表示装置に関する。
【背景技術】
【０００２】
従来、誕生日カード、クリスマスカード、ギフトカード、写真立て等は、表示プレートにメッセージ表示が外部から常時看えるように、例えば油性もしくは水性のマジックペン等で記載するか、あるいはメッセージ表示を印刷したシール等を表示プレートに貼着するかしていた。
【特許文献１】特になし
【発明の開示】
【発明が解決しようとする課題】
【０００３】
しかしながら、従来においては、表示プレートに付記もしくは貼着されたメッセージ表示が常時露見しており、これによって誰もが読み取りが可能となるため、面白味がないものとなる等の問題点を有していた。
【０００４】
そこで、本発明は、叙上のような従来存した諸事情に鑑み案出されたもので、不要なときにはメッセージ表示を看えないようにし、この隠されていたメッセージ表示が光照射によって看ることができるようにすることで、面白味のある表示形態とすることができる表示装置を提供することを目的とする。
【課題を解決するための手段】
【０００５】
上述した課題を解決するため、本発明にあっては、メッセージ表示を隠蔽状態で付記可能とした表示プレートと、該表示プレートを光照射可能とする発光装置とを備え、該発光装置による表示プレートの光照射によってメッセージ表示を現出させることを特徴とする。
【０００６】
可視光領域で隠蔽可能となるよう蛍光体を用いてメッセージ表示を付記可能とした表示プレートと、該表示プレートに紫外線光を照射可能とする発光装置とを備え、該発光装置の紫外線光に反応してメッセージ表示の蛍光体を所望の色に発光現出させることを特徴とする。
【０００７】
前記表示プレートとしては、ハーフミラー、スモークフィルム、もしくはブラックライトに反応可能な印刷ベースシートを使用したものである。
【０００８】
前記表示プレートには、隠蔽された暗状態から露出した明状態にすることで発光装置がスイッチオンとなる光センサーを備えている。
【０００９】
前記表示プレートは、誕生日カード、クリスマスカード、ギフトカード等のカード類、写真立て、またはペンダント、ブレスレット、指輪、キーホルダー等の飾り具のいずれかに付設されているものである。
【発明の効果】
【００１０】
本発明によれば、不要なときにはメッセージ表示を看えないようにし、この隠されていたメッセージ表示が光照射によって看ることができるようにすることで、意外性があり、かつ面白味のある表示形態とすることができる。したがって、若者等の使用、あるいはプレゼント品等として好適である。
【００１１】
すなわち、メッセージ表示を隠蔽状態で付記可能とした表示プレートと、該表示プレートを光照射可能とする発光装置とを備え、該発光装置による表示プレートの光照射によってメッセージ表示を現出させるので、これにより、必要なときだけ光照射することによりメッセージ表示を容易に看える状態にすることができる。
【００１２】
また、可視光領域で隠蔽可能となるよう蛍光体を用いてメッセージ表示を付記可能とした表示プレートと、該表示プレートに紫外線光を照射可能とする発光装置とを備え、該発光装置の紫外線光に反応してメッセージ表示の蛍光体を所望の色に発光現出させるので、必要なときだけ紫外線光を照射することによりメッセージ表示を容易に看える状態にすることができる。
【００１３】
そして、前記表示プレートとしては、ハーフミラー、スモークフィルム、もしくはブラックライトに反応可能な印刷ベースシートを使用したので、光照射によるメッセージ表示の現出が容易に得られる。
【００１４】
前記表示プレートには、隠蔽された暗状態から露出した明状態にすることで発光装置がスイッチオンとなる光センサーを備えたので、従来ある機械的なスイッチに比して面白味がさらに向上するものとなる。
【００１５】
前記表示プレートは、誕生日カード、クリスマスカード、ギフトカード、写真立て、またはペンダント、ブレスレット、指輪、キーホルダー等の飾り具のいずれかに付設されているものとしたので、意外性があり、かつ面白味のある表示形態を備えたカード類や飾り具等が得られる。
【発明を実施するための最良の形態】
【００１６】
以下、図面を参照して本発明を実施するための最良の一形態を説明する。
図において示される符号Ｐは、二枚折りに構成された例えば誕生日カードまたはクリスマスカード等のカード類であり、該カード類Ｐの片面１ａに、本発明に係る表示装置１が付設されている。この表示装置１は、図１に示すように、片面１ａに例えばハート形の縦枠状に形成されたフレーム部２を設け、このフレーム部２の上部開口側に、メッセージ表示を隠蔽状態で付記可能とした、例えばハーフミラーもしくはスモークフィルム等の表示プレート３を嵌着させることで、片面１ａと表示プレート３との間に収容スペース４が形成される。
【００１７】
そして、収容スペース４内には、発光装置１１における複数のＬＥＤランプ１２が配設され、このＬＥＤランプ１２は、図２に示すように、隠蔽された暗状態から露出した明状態にすることでＬＥＤランプ１２がスイッチオンとなる例えばＣｄＳ等の光センサー１３と、例えばボタン電池等の電源１４および抵抗Ｒに接続されている。
【００１８】
光センサー１３は、カード類Ｐの片面１ａが綴じられているときには、暗状態となってＬＥＤランプ１２は消灯された状態であり、片面１ａが開けられると明状態となってＬＥＤランプ１２を点灯させる。そして、ＬＥＤランプ１２が点灯して表示プレート３の下面を光照射させることで、表示プレート３に付記された例えば絵柄や文字等のメッセージ表示を発光現出させるものである。
【００１９】
尚、カード類Ｐの片面１ａに付設されたフレーム部２の枠形状はハート形に限らず、例えば円形、楕円形、矩形、多角形等の様々な形状を採用しても良い。また、光センサー１３の替わりに、通常の機械的なスイッチとして、プッシュスイッチやスライドスイッチ等を用いても良い。さらに、光センサー１３は、予めシールでもって被覆され、これを剥離させることによりＬＥＤランプ１２を点灯させるようにしても良い。
【００２０】
例えば、プッシュスイッチを使用した場合には、カード類Ｐの片面１ａが綴じられているときには、当該プッシュスイッチが押圧されて発光装置１１がスイッチオフの状態となり、片面１ａが開けられるとプッシュスイッチが開放されて発光装置１１がスイッチオンの状態となり、ＬＥＤランプ１２が点灯して表示プレート３の下面を光照射させる。
【００２１】
次に、本構成による表示装置１の使用、動作について説明する。
誕生日カードまたはクリスマスカード等のカード類Ｐの片面１ａが綴じられているときには、光センサー１３は暗状態であって、ＬＥＤランプ１２は消灯されままであるため、表示プレート３のメッセージ表示が暗くて看れない状態となる。また、カード類Ｐの片面１ａが開けられると光センサー１３は明状態となってＬＥＤランプ１２が点灯する。このＬＥＤランプ１２の点灯により、表示プレート３の下面が光照射され、表示プレート３に予め付記されている例えば絵柄や文字等のメッセージ表示が発光現出されるのである。
【００２２】
また、この表示プレート３の他の例として、例えば可視光領域では看ることのできない蛍光体を用いてメッセージ表示を付記可能とし、一方、発光装置１１としては、表示プレート３に紫外線光を照射可能な紫外線発光ランプ１５を使用しても良い。この表示プレート３のメッセージ表示は、紫外線発光ランプ１５の紫外線光に反応してメッセージ表示の蛍光体を所望の色に発光現出させる。
【００２３】
紫外線発光ランプ１５としては、所謂殺菌線と呼ばれる短波長紫外線を実質上含まないもの、例えば波長３５０〜３７０ｎｍを主波長とし波長３００ｎｍ以下を実質上含まないブラックライトと呼ばれるものを使用する。
【００２４】
蛍光体としては、紫外線発光ランプ１５から照射される紫外線の照射で所望の色に発光する無機蛍光体を使用する。この様な蛍光体として、赤色発光蛍光体（Ｒ蛍光体）である例えばＹＶＯ４：Ｅｕ、Ｙ２Ｏ２Ｓ：ＥｕおよびＹ２Ｏ３：Ｅｕ、緑色発光蛍光体（Ｇ蛍光体）である例えばＺｎＳ：Ｃｕ、Ａｌ、Ｚｎ２ＳｉＯ４：Ｍｎ、ＺｎＳ：Ｃｕ、Ａｕ、Ａｌおよび（Ｚｎ、Ｃｄ）Ｓ：Ｃｕ、Ａｌ、ならびに青色発光蛍光体（Ｂ蛍光体）である例えばＺｎＳ：Ａｇ、ＣａＷＯ４、Ｃａ２Ｂ５Ｏ９Ｃｌ：Ｅｕ２＋、ＢａＭｇＡｌ１４Ｏ２３：Ｅｕ２＋が例示でき、これらを適宜組み合わせて所望の発光色を得ることができる。これらの無機蛍光体を顔料として、それぞれに適したワニス及びシンナーや分散剤を用いて蛍光塗料を作り、該蛍光塗料を使った例えば蛍光ペン１６等で表示プレート３のブラックライトに反応する所定箇所にメッセージ表示を記載するか、あるいはメッセージ表示を記載したシールを表示プレート３の所定の箇所に貼着する。
【００２５】
また、蛍光体としては、上記した他に、ＺｎＳ：Ｃｕ無機燐光体／蓄光体（淡緑黄色で緑燐光を発する）や、蛍光性染料（スチルベン系、ローダミン系、クマリン系等）の樹脂固溶体粉末等の有機蛍光体（有彩色で有彩蛍光色を発する）を用いることもできる。
【００２６】
図３には、本発明に係る表示装置１の他の例として、ブラックライトに反応可能な印刷ベースシート１７を使用した場合が示されている。
尚、前記した構成と同じ部分には同じ符号を附することでその説明を省略してある。すなわち、この誕生日カードまたはクリスマスカード等のカード類Ｐの片面１ａには、ブラックライトに反応可能な印刷ベースシート１７が採用され、この印刷ベースシート１７に、例えば蛍光ペン１６等を使ってメッセージ表示を記載できるようにする。
【００２７】
そして、発光装置１１としては、カード類Ｐの片面１ａ上端側からアーチ状の支持アーム１８を介して紫外線発光ランプ１５が、印刷ベースシート１７に対向するようにして吊設される。この紫外線発光ランプ１５は、隠蔽された暗状態から露出した明状態にすることで紫外線発光ランプ１５自体がスイッチオンとなる例えばＣｄＳ等の光センサー１３と、例えばボタン電池等の電源１４に接続される。尚、支持アーム１８は可とう性を有する素材で形成することができ、これによって紫外線発光ランプ１５の位置の調整が容易となる。
【００２８】
図４には、本発明に係る表示装置１を写真立てＦに応用した場合が示されている。
尚、前記した構成と同じ部分には同じ符号を附することでその説明を省略してある。
すなわち、この額縁状の写真立てＦの外枠２１内には、メッセージ表示を隠蔽状態で付記可能とした、例えばハーフミラーもしくはスモークフィルム等の表示プレート３が嵌め込まれ、写真立てＦの背面には、当該写真立てＦを自立させるための支え部２２が設けられている。このとき、表示プレート３には、例えば可視光領域では看ることのできない蛍光体を用いた蛍光ペン１６等によってメッセージ表示を付記可能としても良い。
【００２９】
そして、図１と同様に、写真立てＦの背面と表示プレート３との間に収容スペース４が形成され、この収容スペース４内には、発光装置１１における複数のＬＥＤランプ１２が配設され、このＬＥＤランプ１２は、例えば機械的なスイッチＳＷにより点灯して、表示プレート３の下面を光照射させることで、表示プレート３に付記された、例えば絵柄や文字等のメッセージ表示を発光現出させる。
【００３０】
このＬＥＤランプ１２の消灯状態では、表示プレート３自体がハーフミラーの場合は、写真立てＦを通常の立て鏡として利用できる。また、表示プレート３上にメッセージ表示を発光現出させるために、当該表示プレート３の例えば背面に、画像を形成した投光用フィルム等を着脱可能に装着し、ＬＥＤランプ１２の点灯によって表示プレート３に画像を映し出せるようにても良い。さらに、表示プレート３上の一部箇所に、ブラックライトに反応可能な印刷ベースシート１７を使用しても良い。
【００３１】
上記した表示装置１は、誕生日カードまたはクリスマスカード、ギフトカード、または写真立てＦの他に、例えばペンダント、ブレスレット、指輪、キーホルダー等の飾り具に付設されるものとしても良い。また、表示プレート３および発光装置１１等の構成は本発明における一例にしか過ぎず、他の構成を採用しても良いことは勿論である。
【００３２】
例えば、図５および図６に示すように、発光装置１１と蛍光ペン１６を、カード類Ｐや写真立てＦ等とは別個に保持部材２３に保持させるようにしても良い。すなわち、チェーンリング２３ａ（ネックストラップでも良い）に、電源としてボタン電池２４が円盤状のケース１９に内蔵され、一端に紫外線発光ランプ１５を付設した発光装置１１、および可視光領域では看ることのできない蛍光体を用いた蛍光ペン１６を取付金具２５を介して脱着可能に吊持させる。
【００３３】
そして、カード類Ｐや写真立てＦ等の表示プレート３に蛍光ペン１６を使用してメッセージ表示を付記し、発光装置１１をオンとして紫外線発光ランプ１５をメッセージ表示へ照射させる。これによって、既述したものと同時に表示プレート３に付記された、例えば絵柄や文字等のメッセージ表示を発光現出させることができる。
【図面の簡単な説明】
【００３４】
【図１】本発明を実施するための最良の形態における誕生日カードまたはクリスマスカード等の玩具を示すもので、（ａ）は本発明に係る表示装置の配置構成例を示す使用状態の斜視図、（ｂ）は縦断面図である。
【図２】同じく発光装置の具体的な回路構成を示す構成図である。
【図３】同じく本発明に係る表示装置の他の使用例を示す斜視図である。
【図４】同じく本発明に係る表示装置のさらに他の使用例を示す斜視図である。
【図５】同じく他例の発光装置と蛍光ペンを示す説明図である。
【図６】同じく他例の発光装置を示すもので、（ａ）はその平面図、（ｂ）は正面図である。
【符号の説明】
【００３５】
Ｐ      カード類
Ｆ      写真立て
ＳＷ    スイッチ
Ｒ      抵抗
１      表示装置
２      フレーム部
３      表示プレート
４      収容スペース
１１    発光装置
１２    ＬＥＤランプ
１３    光センサー
１４    電源
１５    紫外線発光ランプ
１６    蛍光ペン
１７    印刷ベースシート
１８    支持アーム
１９    ケース
２１    外枠
２２    支え部
２３    保持部材
２３ａ  チェーンリング
２４    電源
２５    ＬＥＤランプ
２６    取付金具
【図１】
2007333832.tif 000003
【図２】
2007333832.tif 000004
【図３】
2007333832.tif 000005
【図４】
2007333832.tif 000006
【図５】
2007333832.tif 000007
【図６】
2007333832.tif 000008